(57)【要約】【課題】引き寄せボルトと接合金具の配置を正確に行うことができる接合金具を提供することを目的とする。【解決手段】係合体１３に係合孔部１３ａの内外を連通する貫通孔１５，１５ａを設けたことにより、係合孔部１３ａを挿通する引き寄せボルト５を貫通孔１５，１５ａを通して視認することができ、引き寄せボルト５を接合金具１に対して正確に配置することができ、引き寄せボルト５の曲りや芯ずれをなくすことができる。平板体１１の正面の左右両側に湾曲状な突部１６を押し出して形成し、該突部１６に前記係合体１３の両端部１３ｂが接続することにより、地震力等が作用したときに、湾曲状な突部１６が変形して地震力等を吸収し、接合金具１の耐強度を向上することができる。【選択図】      図１
2004360389.tif 000002
【特許請求の範囲】
【請求項１】
第１構造材と第２構造材とを互いに垂直に接合する接合金具であって、固定用孔を有し、該固定用孔を介して固定材で前記第１構造材の側面に当接固定される平板体と、該平板体の正面に突出固定され、該平板体に対して垂直方向に係合孔部を有し、前記第１構造材に前記第２構造材を引き寄せ接合させる引き寄せボルトの一端部が挿通係合する係合体とを具備し、前記係合体に前記係合孔部の内外を連通する貫通孔を設けたことを特徴とする接合金具。
【請求項２】
前記貫通孔は、複数箇所に設けられると共にこれら貫通孔の軸方向は交差することを特徴とする請求項１記載の接合金具。
【請求項３】
第１構造材と第２構造材とを互いに垂直に接合する接合金具であって、固定用孔を有し、該固定用孔を介して固定材で前記第１構造材の側面に当接固定される平板体と、該平板体の正面に突出固定され、該平板体に対して垂直方向に係合孔部を有し、前記第１構造材に前記第２構造材を引き寄せ接合させる引き寄せボルトの一端部が挿通係合する係合体とを具備し、前記係合体は間隔をおいた左右一対の側板部の先端間に先端板部を設けて形成されており、前記平板体の正面の左右両側に少なくとも一部を湾曲状に形成した突部を形成し、該突部に前記係合体の両端部が接続することを特徴とする接合金具。
【請求項４】
前記平板体の背面側において、前記固定用孔の縁に沿って突起が形成されていることを特徴とする請求項１又は３記載の接合金具。
【発明の詳細な説明】
【０００１】
【発明の属する技術分野】
本発明は、接合金具に関し、詳しくは引き寄せボルトを介して構造材同士を接合することのできる接合金具に関する。
【０００２】
【従来の技術】
従来、この種のものとしてして第１構造材と第２構造材とを互いに垂直に接合する接合金具であって、固定用孔を有し、該固定用孔を介して固定材で前記第１構造材の側面に当接固定される縦長の平板体と、該平板体の平板部に突出固定され、該平板部に対して垂直方向に縦長の係合孔部を有し、前記第１構造材に前記第２構造材を引き寄せ接合させるのに用いられる引き寄せボルトの一端部が挿通係合する係合体とを具備してなり、接合金具における係合体に引き寄せボルトを挿通させ、該引き寄せボルトの上端雄ねじ部にナットを螺合させて締め付けるものであって、引き寄せボルトの打設位置に多少のずれが生じ、引き寄せボルトと柱との間の距離が設定値から外れている場合であっても、係合孔部が平板体の平板部に対して垂直方向に縦長の形態を有するため、引き寄せボルトの貫通する位置が前後にずれるのみで、該接合金具の取付には支障がないというものである（例えば、特許文献１参照。）。
【０００３】
また、平板体たる背板部には両側部を一面側へ屈曲した立ち上がり部を備え、立ち上がり部に係合孔部たる貫通係合部を固定し、背板部を折り曲げるような方向の力に対して抵抗力が高く、屈曲や破断が生じないようにした引寄せ金物も公知である（例えば、特許文献２参照。）。
【０００４】
【特許文献１】
特開平１１−３１０９６３号公報（段落０００６，００１７）
【特許文献２】
特開２００２−２９４８６９号公報（段落０００９、００１０）
【０００５】
【発明が解決しようとする課題】
前記従来技術においては、接合金具における係合体に引き寄せボルトを挿通させ、該引き寄せボルトの上端雄ねじ部にナットを螺合させて締め付ける際に、係合体内を視認できないので、引き寄せボルトと係合体、ひいては引き寄せボルトと接合金具を正確に配置できない虞がある。また、前者の従来技術においては、平板体に係合体が接合されており、後者の従来技術においては平板体に立ち上がり部を介して係合体が接合されているものである。しかしながら、このようなものにおいては、地震力などの振動が作用した場合、平板体と係合体との間に直接的に力が作用してしまうという虞がある。さらに、従来技術においては、固定用孔を介して釘等固定材で構造材の側面に平板体を固定するものであり、その固定力は釘等固定具のみであり、この結果固定力を増大するには釘等を大きくしなければならないという問題がある。
【０００６】
そこで、本発明は、引き寄せボルトと接合金具の配置を正確に行うことができる接合金具を提供することを目的とする。また、地震力等の耐強度を向上することができる接合金具を提供することを目的とする。
【０００７】
【課題を解決するための手段】
請求項１の発明は、第１構造材と第２構造材とを互いに垂直に接合する接合金具であって、固定用孔を有し、該固定用孔を介して固定材で前記第１構造材の側面に当接固定される平板体と、該平板体の正面に突出固定され、該平板体に対して垂直方向に係合孔部を有し、前記第１構造材に前記第２構造材を引き寄せ接合させる引き寄せボルトの一端部が挿通係合する係合体とを具備し、前記係合体に前記係合孔部の内外を連通する貫通孔を設けたことを特徴とする接合金具である。
【０００８】
この請求項１の構成によれば、係合孔部を挿通する引き寄せボルトを貫通孔を通して視認することができる。
【０００９】
請求項２の発明は、前記貫通孔は、複数箇所に設けられると共に、これら貫通孔の軸方向は交差することを特徴とする請求項１記載の接合金具である。
【００１０】
この請求項２の構成によれば、引き寄せボルトを、互いに交差するような方向の貫通孔を通して視認することができる。
【００１１】
請求項３の発明においては、係合体は間隔をおいた左右一対の側板部の先端間に先端板部を設けて形成されており、平板体の正面の左右両側に少なくとも一部を湾曲状に形成した突部を形成し、該突部に前記係合体の両端部が接続することを特徴とする接合金具である。
【００１２】
この請求項３の構成によれば、地震力等が作用したときに、少なくとも一部が湾曲状な突部が変形して地震力等を吸収することができる。
【００１３】
請求項４の発明は、前記平板体の背面側において、前記固定用孔の縁に沿って突起が形成されていることを特徴とする請求項１又は２記載の接合金具である。
【００１４】
この請求項４の構成によれば、平板体の背面を構造体に当てることにより、突起が構造体に食い込むようになる。
【００１５】
【発明の実施形態】
以下、本発明の一実施形態を添付図を参照して説明する。図中、１は柱としての第１構造材２と、土台としての第２構造材３とを互いに垂直に接合する接合金具である。そして、第２構造材３は基礎コンクリート４の上面に載置されている。前記第１構造材２は、その下端面を第２構造材３の上面に当接させて該第２構造材３上に接合されている。そして、接合金具１は、固定用孔１１ａを有し、該固定用孔１１ａを介して釘、ボルト等の固定材１２で前記第１構造材２の側面２ａに当接固定される縦長の平板体１１と、該平板体１１の正面側の平板部１１ｂに突出固定され、該平板部１１ｂに対して垂直方向に縦長の係合孔部１３ａを有し、前記第１構造材２に前記第２構造材３を引き寄せ接合させるのに用いられる引き寄せボルト５の一端部５ａが挿通係合する係合体１３とを備える。
【００１６】
平板体１１と係合体１３とを備える前記接合金具１において、前記平板体１１は、縦長矩形状の所定の厚みを有する金属製プレートからなり、該平板体１１には、第１構造材２に当接固定するための固定用孔１１ａが複数上部側に穿設されている。そして、平板体１１における背面の各固定用孔１１ａの縁には、該縁に沿って突起１１ｃが突設して形成されている。この突起１１ｃは固定用孔１１ａの加工形成時に同時に加工されて形成されるものである。
【００１７】
前記平板体１１の平板部１１ｂには、該平板部１１ｂの長手方向に沿う補強用のリブ１４を有する。補強用のリブ１４は、打出し成形により形成されているものであって、係合体１３の上部を基端１４ａとして上方に向けて先端１４ｂを二股形状に形成している。前記係合体１３は、前記平板体１１の長手方向に延びる筒状体であり、該係合体１３は、左右一対の側板部１３ｓの先端間に三角状に突設する先端板部１３ｔを設けて形成されたプレートからなり、該プレートの両端部１３ｂが該平板体１１の前面平面状の平板部１１ｂに溶接等により平板部１１ｂに突出するように固定されている。
【００１８】
さらに、接続金具１はメッキや塗料等により全面に黒色保護層が形成されている。また接続金具１において、前記係合体１３に係合孔部１３ａの内外を連通する貫通孔１５，１５ａを複数設ける。貫通孔１５は係合体１３の正面側中央、すなわち先端板部１３ｔに設けられ、一方貫通孔１５ａは係合体１３の左右両側、すなわち側板部１３ｓに一対設けられているものであって、該貫通孔１５ａにより両端部１３ｂの長手方向の中央が略半円状に切り欠きされて、両端部１３ｂはそれぞれ二股状に形成されている。したがって、貫通孔１５の軸方向Ｘと貫通孔１５ａの軸方向Ｙは、係合孔部１３ａ内部において直交するようになっている。また、平板部１１ｂにおけるそれぞれ二股状となった側板部１３ｓの両端部１３ｂが接続される部位においては、突部１６を押し出して形成している。少なくとも一部分が湾曲状な突部１６は、両端部１３ｂが接続される部位近傍の平板体１１の左右の縁１６ａ側を該縁１６ａが前方に向くように傾斜させたものであって、端部１３ｂの中央に対応する部位１６ｂでは、縁１６ａが前方に向く傾斜角（仰角）θが大きく、端部１３ｂの端側に対応する部位１６ｃでは縁１６ａが前方に向く傾斜角（仰角）θ´を、部位１６ｂ側から平板部１１ｂにかけて次第に小さく斜めに起すようにして湾曲状に前方へ突設して、該部位１６ｃ側によって突部１６の少なくとも一部を湾曲状に形成している。１６ｄは局部応力が生じないように円弧またはほぼ円弧状に形成した湾曲部を示している。尚、前記両端部１３ｂの先端は前記θのような角度で傾斜した突部１６に沿うようにやや内側、すなわち係合孔部１３ａ側に傾斜しており、両端部１３ｂの先端外面と突部１６の内面とは平面的に接触している共に、溶接がなされている。尚、１６ｗは溶接部である。
【００１９】
次に前記構成についてその作用を説明する。引き寄せボルト５を基礎４に埋設固定し、該引き寄せボルト５の配設位置に対応させて第２の構造材３に引き寄せボルト５用の貫通孔３ａを穿設する。そして、第２の構造材３を該基礎４上に載置し、該第２の構造材３上に、第１の構造材２を組み上げる。次に第１の構造材２の側面２ａに固定材１２を用いて接合金具１を固定すると共に、該接合金具１における前記係合体１３に前記引き寄せボルト５を挿通させ、該引き寄せボルト５の上端雄ねじ部５ａを係合孔部１３ａより貫通して係合体１３の上端より上方に突設させ、そして係合体１３の上端に係止可能なナット６を上端雄ねじ部５ａに螺合させて締め付ける。この際、座金６ａを用いて係合体１３の上端にナット６を係止してもよい。
【００２０】
さらに、固定材１２を用いて接合金具１を固定する際、平板体１１は第１構造材２の側面２ａに当接されるものであるが、各固定用孔１１ａの縁に沿って突設した突起１１ｃが側面２ａに食い込み、該食い込み力によっても平板体１１を側面２ａに固定することができる。また、ナット６を螺合させて引き寄せボルト５を締め付ける際、貫通孔１５，１５ａより引き寄せボルト５を視認して、係合孔部１３ａ内における引き寄せボルト５の位置を確認して正確な位置で固定することができる。さらに、地震があっても、該地震力に抗して湾曲状な突部１６が弾性的に変形して、地震力を吸収することができる。
【００２１】
以上のように、前記実施形態では前記係合体１３に前記係合孔部１３ａの内外を連通する貫通孔１５，１５ａを設けたことにより、係合孔部１３ａを挿通する引き寄せボルト５を貫通孔１５，１５ａを通して視認することができ、引き寄せボルト５を接合金具１に対して正確に配置することができ、引き寄せボルト５の曲りや芯ずれをなくすことができる。特に、引き寄せボルト５の芯ずれや緩みなどがあっても貫通孔１５，１５ａより図示しない工具を挿入して芯ずれや緩みなどを直すようなこともできる。さらに、接続金具１にメッキや塗料等を行うときには、貫通孔１５，１５ａよりメッキや塗装を行うことができ、全面に保護層を形成することができる。
【００２２】
また、前記貫通孔１５，１５ａの軸方向Ｘ，Ｙは直交することにより、引き寄せボルト５を直交する軸方向ＸＹより視認でき、いっそう正確に配置することができる。
【００２３】
また、前記係合体１３は左右一対の側板部１３ｓの先端間に先端板部１３ｔを設けて形成されており、前記平板体１１の正面の左右両側に少なくとも一部が湾曲状な突部１６を押し出して形成し、該突部１６に前記係合体１３の側板部１３ｓにおける両端部１３ｂが接続することにより、地震力等が作用したときに、少なくとも一部が湾曲状な突部１６が変形して地震力等を吸収し、接合金具１の耐強度を向上することができる。しかも、両端部１３ｂの先端外面と湾曲状な突部１６の内面とは平面的に接触している共に、溶接がなされているので、溶接部１６ｃの面積を大きくして強度を向上することができる。
【００２４】
さらに、前記平板体１１の背面側において、前記固定用孔１１ａの縁に沿って突起１１ｃが形成されているので、固定材１２の他に突起１１ｃにおける構造材２への食い込みにより強固に固定することができる。
【００２５】
尚、本発明は前記実施形態に限定されるものではなく、本発明の要旨の範囲内において、種々の変形実施が可能である。
【００２６】
【発明の効果】
請求項１の発明は、第１構造材と第２構造材とを互いに垂直に接合する接合金具であって、固定用孔を有し、該固定用孔を介して固定材で前記第１構造材の側面に当接固定される平板体と、該平板体の正面に突出固定され、該平板体に対して垂直方向に係合孔部を有し、前記第１構造材に前記第２構造材を引き寄せ接合させる引き寄せボルトの一端部が挿通係合する係合体とを具備し、前記係合体に前記係合孔部の内外を連通する貫通孔を設けたことを特徴とする接合金具であり、貫通孔を通して視認しながら、引き寄せボルトを固定出きるので、引き寄せボルトと接合金具の配置、ひいては第１構造材と第２構造材とを互いに正確に配置することができる。
【００２７】
請求項２の発明においては、前記貫通孔は、複数箇所に設けられると共に、これら貫通孔の軸方向は交差することを特徴とする請求項１記載の接合金具であり、互いに交差するような方向の貫通孔を通して視認しながら、引き寄せボルトを固定出きるので、引き寄せボルトと接合金具の配置、ひいては第１構造材と第２構造材とを互いにいっそう正確に配置することができる。
【００２８】
請求項３の発明においては、第１構造材と第２構造材とを互いに垂直に接合する接合金具であって、固定用孔を有し、該固定用孔を介して固定材で前記第１構造材の側面に当接固定される平板体と、該平板体の正面に突出固定され、該平板体に対して垂直方向に係合孔部を有し、前記第１構造材に前記第２構造材を引き寄せ接合させる引き寄せボルトの一端部が挿通係合する係合体とを具備し、前記係合体は間隔をおいた左右一対の側板部の先端間に先端板部を設けて形成されており、前記平板体の正面の左右両側に少なくとも一部を湾曲状に形成した突部を形成し、該突部に前記係合体の両端部が接続することを特徴とする接合金具であり、固定材の他に突起における構造材への食い込みにより平板体を構造材に強固に固定することができる。
【００２９】
請求項４の発明は、前記平板体の背面側において、前記固定用孔の縁に沿って突起が形成されていることを特徴とする請求項１又は３記載の接合金具であり、構造材への食い込みにより強固に固定することができる。
【図面の簡単な説明】
【図１】本発明の一実施形態を示す側面図である。
【図２】本発明の一実施形態を示す正面図である。
【図３】本発明の一実施形態を示す湾曲した突部まわりの断面図である。
【図４】本発明の一実施形態を示す貫通孔まわりの断面図である。
【図５】本発明の一実施形態を示す固定用孔まわりの断面図である。
【図６】本発明の一実施形態を示す分解斜視図である。
【符号の説明】
２  第１構造材
３  第２構造材
１１  平板体
１１ａ  固定用孔
１１ｃ  突起
１３  係合体
１３ａ  係合孔部
１３ｂ  端部
１５，１５ａ  貫通孔
１６  突部
１６ｄ  湾曲部
１６ｓ  側板部
１６ｔ  先端板部
Ｘ，Ｙ  軸方向
【図１】
2004360389.tif 000003
【図２】
2004360389.tif 000004
【図３】
2004360389.tif 000005
【図４】
2004360389.tif 000006
【図５】
2004360389.tif 000007
【図６】
2004360389.tif 000008